【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
第１のゲーム施設で発行される第１のゲーム施設に関するクーポン券と、第２のゲーム施設で発行される第２のゲーム施設に関するクーポン券とを、電子決済システムを使用して交換するクーポン券交換法において、
第１のゲーム施設の第１の装置の要求に応じて発行され、金額と金額を決定する第１のゲーム施設に関する原クーポン券表示部とを含む原クーポン券を取得する過程と、
原クーポン券の金額と原クーポン券表示部とを第１のゲーム施設金融サーバに記憶する過程と、
クーポン券交換装置の券読取機を使用して、原クーポン券から原クーポン券表示部を読み取る過程と、
券読取機が原クーポン券から読み取った原クーポン券表示部を使用して、原クーポン券の金額を決定し、第１のゲーム施設金融サーバと通信を行う過程と、
第１のゲーム施設と異なる所望の第２のゲーム施設に入場する過程と、
交換クーポン券の金額と金額に関連する表示部を特定する過程と、
交換クーポン券の金額と交換クーポン券表示部とを第２のゲーム施設金融サーバに記憶する過程と、
交換クーポン券表示部を含む交換クーポン券をクーポン券交換装置から発行する過程とを含むクーポン券交換法。
【請求項２】
第１のゲーム施設に使用される符合化体系を使用して、原クーポン券表示部を符合化する過程と、
第１のゲーム施設の符合化体系に従って原クーポン券表示部を解読する過程とを更に含む請求項１に記載のクーポン券交換法。
【請求項３】
第２のゲーム施設で使用される符合化体系を使用して、交換クーポン券表示部を符合化する過程と、
第２のゲーム施設の符合化体系に従って、符合化された交換クーポン券表示部を含む交換クーポン券を発行する過程とを更に含む請求項２に記載のクーポン券交換法。
【請求項４】
第２のゲーム施設で使用される符合化体系を使用して、交換クーポン券表示部を符合化する過程と、
第２のゲーム施設の符号化体系に従って符合化された交換クーポン券表示部を含む交換クーポン券を発行する過程とを更に含む請求項１に記載のクーポン券交換法。
【請求項５】
少なくとも１つの原クーポン券及び交換クーポン券を電子形式で発行する過程を更に含む請求項１に記載のクーポン券交換法。
【請求項６】
電子形式化された原クーポン券と交換クーポン券のデジタル画像を無線通信により携帯型コンピュータに送信して、電子形式化された原クーポン券と交換クーポン券を発行する過程を更に含む請求項５に記載のクーポン券交換法。
【請求項７】
原クーポン券を印刷形式で発行し、
交換クーポン券を電子形式で発行する過程を更に含む請求項１に記載のクーポン券交換法。
【請求項８】
原クーポン券は、第１の装置が読み取れる形式の原クーポン券表示部を含み、
クーポン券交換装置の原クーポン券読取機は、原クーポン券からの原クーポン券表示部の送信に使用する形式で作動し、
交換クーポン券は、第１の装置で読み取れる形式と同様の又は異なる第２の装置で読み取れる形式の交換クーポン券表示部を含む請求項１に記載のクーポン券交換法。
【請求項９】
第１のゲーム施設の符合化体系を使用して、原クーポン券表示部を符合化する過程と、
第１のゲーム施設の符号化体系に従って、原クーポン券表示部を解読する過程とを含む請求項８に記載のクーポン券交換法。
【請求項１０】
第２のゲーム施設の符合化体系を使用して、交換クーポン券表示部を符合化する過程と、
第２のゲーム施設の符号化体系に従って符合化された交換クーポン券表示部を含む交換クーポン券を発行する過程と請求項９に記載のクーポン券交換法。
【請求項１１】
原クーポン券は、第１の装置で読み取れる形式の原クーポン券表示部を含み、
原クーポン券読取機は、原クーポン券からの原クーポン券表示部の送信に使用する形式により作動し、
交換クーポン券は、第１の装置が読み取れる形式と同様の又は異なる第２の装置で読み取れる形式の交換クーポン券表示部を含み、
第１の装置が読み取れる形式と第２の装置が読み取れる形式との少なくとも一方は、バーコード形式である請求項１に記載のクーポン券交換法。
【請求項１２】
第１のゲーム施設に関連して第１のゲーム施設で発行されるクーポン券と、第２のゲーム施設に関連して第２のゲーム施設で発行されるクーポン券とを交換する電子決済システムにおいて、
第１のゲーム施設の第１の装置の要求に応じて発行され、金額と金額を決定する原クーポン券表示部とを含む第１のゲーム施設に関する原クーポン券を使用者が取得する第１のゲーム施設の第１の装置と、
原クーポン券の金額と原クーポン券表示部とを記憶する第１のゲーム施設金融サーバと、
原クーポン券から原クーポン券表示部を読み取り、原クーポン券から読み取られた原クーポン券表示部を使用して、原クーポン券の金額を決定し、第１のゲーム施設金融サーバと通信を行う使用者が利用できるクーポン券交換装置の券読取機と、
交換クーポン券の金額と金額に関連する表示部を特定する第２のゲーム施設の第２の装置と、
交換クーポン券の金額と交換クーポン券表示部とを記憶する第２のゲーム施設金融サーバとを備え、
クーポン券交換装置は、交換クーポン券表示部を含む交換クーポン券を発行することを特徴とする電子決済システム。
【請求項１３】
原クーポン券表示部は、第１のゲーム施設の符合化体系を使用して符合化され、
原クーポン券表示部は、第１のゲーム施設の符合化体系に従って復号化される請求項１２に記載の電子決済システム。
【請求項１４】
交換クーポン券表示部は、第２のゲーム施設の符合化体系を使用して符合化され、
第２のゲーム施設の符合化体系に従って符合化される交換クーポン券表示部を含む交換クーポン券が発行される請求項１３に記載の電子決済システム。
【請求項１５】
原クーポン券と交換クーポン券の少なくとも１つは、電子形式で発行される請求項１２に記載の電子決済システム。
【請求項１６】
電子形式化された原クーポン券と交換クーポン券のデジタル画像を無線通信により携帯型コンピュータに送信して、電子形式化された原クーポン券と交換クーポン券を発行する請求項１５に記載の電子決済システム。
【請求項１７】
原クーポン券を印刷形式で発行し、
交換クーポン券を電子形式で発行する請求項１２に記載の電子決済システム。
【手続補正２】
【補正対象書類名】明細書
【補正対象項目名】００４５
【補正方法】変更
【補正の内容】
【００４５】
図３に示すように、スタッカ139から紙幣を取り出した後又は紙幣を取り出す前に、スタッカ139は、読出装置170上に配置されるが、スタッカ139に取り付けられるメモリ装置138は、読出装置170から離間して配置される非接触状態に保持され、読出装置170が作動して、メモリ装置138に記憶される下記４種類の情報を検索する：
(i)  スタッカ139に収容される紙幣の総額及総数、
(ii)  紙幣の全金種信号、
(iii)  関与する口座名義人を識別する全口座番号、
(iv)  スタッカ139を取り外したゲーム機又は自動化装置100を識別する特定符号信号。
【手続補正３】
【補正対象書類名】明細書
【補正対象項目名】００５１
【補正方法】変更
【補正の内容】
【００５１】
自動化装置100に保持される信用取引額の減少又は使用者199の要求によりゲームを終了することができる。図５は、電子型クーポン券（eV/T）で現金化する過程を例示するフローチャート240を示す。金融過程フローチャート240は、自動化装置100のゲーム終了後に現金化する構成要素間の通常の相互関係を示す。互換機として使用できるリープフォワードゲーミング社の無線通信158とスマートフォン400とを含む図３の前記構成要素を様々な構成要素に設けることができる。ステップ241に示す電子型クーポン券410に対する信用取引額の発行を使用者199が要求して、過程が開始される。ステップ242に示す近距離通信装置150との通信を介するスマートフォン400のアプリケーションを使用して、使用者199の要求信号が入力される。近距離通信装置150は、ステップ243に示す紙幣鑑別装置130とのデジタル通信接続を介して、情報を送信する。紙幣鑑別装置130は、ステップ245及び245により、ゲーム施設ホストサーバ446に情報を直接又は間接的に送信する。自動化装置100の動作に対応して、ゲーム施設ホストサーバ446は、支払後の残金を記録し、ゲームを終了し、デジタル電子型クーポン券410を発行する。ステップ247では、新規の電子型クーポン券410が近距離通信装置150に送信される。ステップ248に示す近距離通信プロトコルを使用して、新規の電子型クーポン券410は、スマートフォン400に転送される。
【手続補正４】
【補正対象書類名】明細書
【補正対象項目名】００７３
【補正方法】変更
【補正の内容】
【００７３】
図１４は、クーポン券交換過程の包括的概念を示すブロック図である。ブロック図は、カジノＡ510、カジノＢ520及びカジノＣ530の３ゲーム施設を示す。各ゲーム施設は、クーポン券データベースサーバ512,522,532を備える。各クーポン券データベースサーバ512,522,532は、各クーポン券514,524,534に関する記録を保持する。遊技者は、ゲーム施設510,520,530から取得する発行済クーポン券514,524,534をクーポン券信用交換所540に提供して、単一又は複数の交換クーポン券516,526,536の発行を要求する。クーポン券信用交換所540は、発行クーポン券済514,524,534を遊技者から回収し、要求される単一又は複数の交換クーポン券516,526,536を発行する。回収したクーポン券514,524,534の価値に相当する価値の交換クーポン券516,526,536を発行するか、クーポン券信用交換所540は、交換手数料544を選択的に含みかつ図１５に示す交換率だけ低い価値で、要求された単一又は複数の交換クーポン券516,526,536を発行することができる。